(57)【特許請求の範囲】
【請求項１】
コネクタアセンブリであって、
筐体と、該筐体に配設された封止部材と、スカートを含むリングとを含むモジュールであって、前記スカートはモジュール上でスライド可能、かつ、封止部材がスカートによって覆われる第１位置と封止部材が露出する第２位置との間で移動可能であり、前記リングは第１位置に保持される、モジュールと、
該モジュールの筐体と嵌め合わせられるように構成された筐体を含む本体であって、前記封止部材はモジュールの筐体と本体の筐体との間に配置され、モジュールと本体とが完全に嵌め合わせられるとき、本体の筐体は、第１位置にあるリングと係合して該リングを第２位置にまで移動させる、本体と、を備え、
前記リングは、リングの内面に形成されてモジュールの壁に寄りかかるピンによって、第１位置に保持され、前記モジュールの壁は変形可能であり、前記モジュールと本体とが嵌め合わせられるとき、前記モジュールの壁は、本体によって変形させられてピンとの係合を解除する、コネクタアセンブリ。
【請求項２】
前記リングは、モジュールに形成されたフック及びリングに形成されたスロットによってモジュールに組み付けられる、請求項１に記載のコネクタアセンブリ。
【請求項３】
前記モジュールと本体とが嵌め合わせられるとき、第２のピンは、本体に形成されたリッジと係合する、請求項２に記載のコネクタアセンブリ。
【請求項４】
前記モジュールと本体とが完全に嵌め合わせられると、第２のピンは、本体に形成されたウィンドウと係合する、請求項２に記載のコネクタアセンブリ。
【発明の詳細な説明】
【技術分野】
【０００１】
本発明は、ベースを構成する部分と、電気的接続を提供するようにベースに挿入されることが意図されるモジュールを構成するパーツと、を有する、接続アセンブリに関する。本発明はまた、この種のアセンブリにおけるモジュール、ならびにこの種のアセンブリのベースに関する。
【背景技術】
【０００２】
先行技術からのこの種のアセンブリにおいて、モジュールが、ベースとモジュールとの間の境界面における電気的接続を封止することが意図される、エラストマー材料で作製されるそのリム上の筐体間ガスケットを有することが同意されていた。
【発明の開示】
【発明が解決しようとする課題】
【０００３】
モジュールは繰り返し取り扱われ、および／または運ばれ、これは、このエラストマー筐体間ガスケットを損傷する可能性があるため、エラストマー材料で作製されるこの筐体間ガスケットを、ベースの中へのその挿入の前に、保護することが必要であった。
【課題を解決するための手段】
【０００４】
モジュールが挿入されて、ベースと係合するときに、エラストマー筐体間ガスケットを露呈するために隆起させることができる、取り外し可能な保護リングで、筐体間ガスケットを囲繞するという事実は、先行技術から、特に欧州特許第１９０３６４１号から、既知である。しかしながら、先行技術からのこれらのアセンブリは、製造することが特に複雑であり、特に、モジュールは、同時にスカートを隆起させ、モジュール下筐体およびベースを接続することを可能にする、レバーシステムを備える。
【０００５】
本発明は、製造がより単純であり、使用がより容易である、上で言及される種の接続アセンブリを提供することによって、先行技術のアセンブリの欠点を克服することを目指す。
【０００６】
本発明によると、接続を提供するアセンブリは、請求項１に指定されるもの等である。
【０００７】
このため、本体中にモジュールを位置付けることは、モジュールを本体の中へ予め挿入した後で、起動させる必要がある、モジュール上のレバーシステムを提供することがもはやここでは必要ではないため、有意に簡略化される。使用者は、単純に、モジュールを取り、それを本体の中へ押し込み、それによってそれが自動的に移動する手段は、下筐体がベースの中へ押し込まれるとき、ここでのスカートの隆起を確実にする。特に複雑なレバーを作製または追加することがもはや必要ではないであろうことから、モジュールの製造もまた、有意に簡略化される。
【０００８】
本発明の別の実施形態によると、並進手段は、モジュールが取り外され、もはや本体と係合しないときに、保護リングが再度降下せず、筐体間エラストマー封止が露出したままであるようなものである。
【０００９】
本発明の好ましい実施形態によると、並進手段は、本体の内側に延在し、保護リングの外面の可撓性ピースのリブに対するストップを形成する、少なくとも１つのフックを備える。
【００１０】
本発明の好ましい実施形態によると、並進手段は、モジュールからの少なくとも１つのフックと、保護リング上の少なくとも１つのスロットと、を備え、配設は、フックがスロットを通過し、スロットが挿入方向において延在するようなものであり、フックおよびスロットの形状および寸法は、少なくとも１つのフックが、それがスロットの下エッジに寄り掛かるまで、スロットの中へ移動することができるようなものである。
【００１１】
本発明の好ましい実施形態によると、本体は、少なくとも前記リブを受容するための少なくとも１つの開口、および開口のすぐ上に配置されるフックもまた備える。
【００１２】
本発明はまた、本発明によるアセンブリモジュールを形成する要素、ならびに本発明によるアセンブリの本体を構成する要素に関する。
【００１３】
本発明によると、接続を提供するアセンブリのモジュールを構成する要素であって、接続モジュールを構成する第１の要素と、本体を構成する第２の要素と、から成り、モジュールは、接続を行うように、下筐体中に、または本体ベースにおいて受容されるように設計される下筐体と、モジュールの下筐体の上エッジのリム上に設定される、下筐体とベースとの間の封止を形成することが意図される、エラストマー筐体間ガスケットと、モジュールの周囲でのベースの中へのモジュールの挿入方向において取り外し可能であるように設定されるスカートを構成するリングと、を備え、スカートはガスケットを被覆するような方法で、かつガスケットを露出したままにするような方法で配置することができ、モジュールからの少なくとも１つのフックが提供され、少なくとも１つのスロットが保護リング上に形成され、配設は、フックがスロットを通過し、スロットが挿入方向において延在するようなものであり、フックおよびスロットの形状および寸法は、少なくとも１つのフックが、それがスロットの下エッジに寄り掛かるまで、スロットの中へ移動することができるようなものである。
【００１４】
本発明によると、接続を提供するアセンブリの本体を構成する要素であって、接続モジュールを構成する第１の要素と、本体を構成する第２の要素と、から成り、モジュールは、接続を行うように、下筐体中に、または本体ベースにおいて受容されることになる下筐体と、モジュールの下筐体の上エッジのリム上に設定される、下筐体とベースとの間の封止を形成することが意図される、エラストマー筐体間ガスケットと、モジュールの周囲でのベースの中へのモジュールの挿入方向において取り外し可能であるように設定されるスカートを構成するリングと、を備え、スカートは、ガスケットを被覆するような方法で、かつガスケットを露出したままにするような方法で配置することができ、本体は、モジュールが本体の中へ挿入されるときに、スカートを構成するリングが、それがガスケットを被覆しない位置に移動することを可能にすることが意図される並進手段を備える。
【００１５】
例えば、図面を参照して、本発明の好ましい実施形態の説明をここで行う。
【図面の簡単な説明】
【００１６】
【図１】第１の実施形態と一致する本発明によるアセンブリの斜視図である。
【図２】エラストマー筐体間ガスケットを被覆するリングまたは保護スカートを示す、図１のアセンブリモジュールの斜視図である。
【図３】筐体間ガスケットを露出するように、リングまたは保護スカートが上方に移動された状態の、ベースに完全に挿入されたときのその状態の図２のモジュールを示す。
【図４】本体の中へのモジュールの挿入後の中間位置における、部分的に外された、図１のアセンブリの斜視図である。
【図４ａ】モジュールスカートと上本体壁２との間の、モジュールの挿入後の中間位置における、相互作用を示す、図４の一部の断面図である。
【図４ｂ】モジュールスカートとモジュールの上パーツとの間の、モジュールの挿入後の中間位置における、相互作用を示す、図４の一部の断面図である。
【図５】図４の位置に対して、ベースに向かうモジュールの並進が下方方向（挿入方向）に追従する位置における、図１および４のアセンブリの、部分的に外された、斜視図である。
【図５ａ】モジュールスカートと上本体壁２との間の、モジュールの挿入後の中間位置における、相互作用を示す、図５のアセンブリの一部の断面図である。
【図５ｂ】モジュールスカートとモジュールの上パーツとの間の、モジュールの挿入後の中間位置における、相互作用を示す、図５のアセンブリの一部の断面図である。
【図６ａ】モジュールスカートと上本体壁２との間の、モジュールの挿入後の図５の位置に従う中間位置における、相互作用を示す、アセンブリの一部の断面図である。
【図６ｂ】モジュールスカートとモジュールの上パーツとの間の、モジュールの挿入後の図５の位置に従う中間位置における、相互作用を示す、アセンブリの一部の断面図である。
【図７】図６ａおよび６ｂの位置に対して、ベースに向かうモジュールの並進が下方方向（挿入方向）に追従する位置における、図１、４、および５のアセンブリの、部分的に外された、斜視図である。
【図７ａ】モジュールスカートと上本体壁２との間の、モジュールの挿入後の中間位置における、相互作用を示す、図７のアセンブリの一部の断面図である。
【図７ｂ】モジュールスカートとモジュールの上パーツとの間の、モジュールの挿入後の中間位置における、相互作用を示す、図５のアセンブリの一部の断面図である。
【図８ａ】モジュールスカートと上本体壁２との間の、モジュールの挿入後の図７の位置に従う最終位置における、相互作用を示す、アセンブリの一部の断面図である。
【図８ｂ】モジュールスカートとモジュールの上パーツとの間の、モジュールの挿入後の図５の位置に従う最終位置における、相互作用を示す、アセンブリの一部の断面図である。
【図９】本発明の第２の実施形態に従う電気コネクタを形成するアセンブリの、部分的に外された、斜視図であり、モジュールが、本体からある距離にある。
【図１０】図６のアセンブリの、部分的に外された、斜視図であり、モジュールが、本体の中へ降下し始めている。
【図１１】モジュールが本体ベースと電気的に接続しており、エラストマー封止が封止機能を提供する位置における、図９および１０のアセンブリの斜視図である。
【発明を実施するための形態】
【００１７】
図１〜８は、本発明に従うアセンブリの第１の実施形態を示す。接続アセンブリは、概して、モジュール１と称される、第１の要素を備え、これは、本体と称される第２の接続要素２の中へ挿入されることが意図される。接続モジュール１は、接続端子を受容することが意図される、間隙を包囲する長方形の平行六面体の形状の上部パーツ３を有する。モジュール１は、本体ベースに接続する全ての端子ピンの通過を可能にすることが意図される、同様に長方形の平行六面体の筐体の形状である底部パーツ４を更に備える。底部パーツ４は、本体２のベース５において受容されることが意図される。モジュール１の底部パーツ４および上部パーツ３は、エラストマー封止７によって完全に囲繞される、中間パーツによって分離される。このエラストマー封止７は、モジュール１が本体２に完全に挿入されるときに、モジュール１の底部パーツ４に対応する筐体とベース５との間に密閉封止を形成することが意図される。
【００１８】
モジュールの断面に対応する断面リング要素９は、好ましくは、外側から筐体間ガスケット７を保護するように、モジュールを完全に囲繞する。このリング要素９は、垂直方向、即ち、ガスケット断面に対して直角を成す方向において、モジュールに対して取り外し可能であるように組み立てられる。フック１０は、モジュール１の外表面から、特に、上部パーツ３から横方向に外方に突出する。フックは、具体的には、前側（図１に示されるように）、および後側（図示せず）上に提供される。しかしながら、フックはまた、片側上のみに提供され得る。それは、上で定義される垂直方向において突出するスロット１１を保護する薄い要素９に形状化される。スロット１１の幅は、フック１０の寸法に対応し、そのため、保護要素９が上方に移動するとき、フックがスロット１１を通過し、図１に示される位置に対して、保護リング９の相対的な上方移動を可能にする。
【００１９】
保護リング９（図３を参照されたい）の上方移動の終わりに、各スロット１１の下エッジは、フック１０の底部パーツに寄り掛かり、保護リング９のいかなるさらなる上方移動も防止する。スロット１１の下エッジがフック１０に寄り掛かる位置において、保護リングは隆起され、そのため、それは、筐体間ガスケット７をもはや保護せず、それにより、露出される。
【００２０】
ピン１２は、保護リング９の側面上の可撓性ピースから延在する。
【００２１】
本体２もまた、モジュールの形状に対して本質的に補完的な形状である、実質的に長方形の平行六面体の形状であり、これは、モジュールを受容するための空間内で包囲する。ベース５として知られる底部本体２のパーツは、モジュール１の底部パーツ４を受容することが意図され、底部パーツ４には、電気的接続のためのピンが位置する。長方形の平行六面体として形状化される底部パーツ４が、ベースパーツ５に受容されるとき、筐体間ガスケット７は、２つの筐体間の境界面において密閉封止を形成する。
【００２２】
２つのウィンドウ１３は、本体２の側壁上に、モジュール１の上部パーツと接続することになる上部パーツ上に形成される（後者が本体２に完全に挿入されるとき）。少なくとも１つのリッジ１８は、本体５の内側から、好ましくは、ウィンドウ１３のほぼすぐ上に突出する。
【００２３】
本体５のベース２の中への接続された位置におけるモジュール１の挿入は、図１〜図４、４ａおよび４ｂ、次いで、図５、５ａおよび５ｂへ、次いで、図６ａおよび６ｂへ、続いて、図７、７ａおよび７ｂ、ならびに最終的に図８ａおよび８ｂへの流れによって定義されるように、順次行われる。
【００２４】
図１において、モジュールは、本体２から依然として離れており、保護要素９は、筐体間ガスケット７を囲繞および保護する。本体２によって包囲される内部空間の中へのモジュールの挿入は、要素９のパーツの可撓性ピースからのピン１２が、本体２の内側からリッジ１８に寄り掛かるまで、垂直下方方向において継続する。次いで、これは、図４、４ａ、および４ｂに示される位置となる。
【００２５】
保護スカート９は、常にガスケット７を保護し、フック１０は、常にそれぞれのスロット１１の上エッジに対抗する。図４に示されるこの中間位置において、保護スカートの移動は、このため、停止される。加えて、リング９の内側からのピン２０は、モジュール壁２１に寄り掛かる。
【００２６】
常にリング９に接続されているモジュール２は、降下し続け、リッジ１８に対して押圧するピン１２は、モジュール壁２１を弾性的に変形させ、それにより、図５、５ａ、および５ｂに示されるように、モジュールをリング９から解放する。次いで、モジュール２は、降下し続けるが、リング９をそれとともに担持せず、リングは、ピン１２およびリッジ１８によってロックされたままである。結果は、リッジ１８およびピン１２によってブロックされるスカートが、もはや移動せず、モジュールがフック１０に接続されているため、スロット１１の中へのフック１０の下方並進である。この下方並進は、フック１０がスロット１１の下エッジに寄り掛かるまで継続する。次いで、これは、図６ａおよび６ｂに示される位置となり、筐体間エラストマーガスケット７は、完全に露出され、スカート９は、完全に隆起されており、下筐体４は、本体２の下筐体５の中へ本質的に挿入される。モジュール上での最終的な押し込みは、それが生じるスカートの部分の可撓性により、ピン１２を、リッジ１８を超えさせ、かつウィンドウ１３と接触させる。次いで、保護リングの可撓性ピースは、その初期位置に戻り、ピンを外方に移動させる傾向があり、このため、それらをウィンドウ１３内に維持し、図８ａおよび８ｂに示されるように、ガスケットが適所にある状態で、ベース内のモジュールの完璧な位置付けを確実にする。
【００２７】
図９〜１１は、本発明の第２の実施形態を示す。
【００２８】
図１〜８の実施形態と比較して、モジュール１’は、リング形状の保護スカートを除き、モジュール１と同一である。図９〜１１の実施形態において、保護スカートは、対応するピン１３の圧力の影響下で、変形することが可能な可撓性ピースを有しない。
【００２９】
図９〜１１の実施形態のベース２’に関して、ベースは、図１〜８のものと本質的に同一である。しかしながら、相違は、本質的に本体ベースを区切るレベルにおいて内方に突出するフックが提供されることである。
【００３０】
図９〜１１に示されるように、モジュールがベースの中へ挿入されるとき、保護スカートは、筐体間ガスケットを囲繞する。図１０において、並進は、保護スカートの下エッジが筐体２’のフック２０に寄り掛かり、次いで、リングの下方移動を停止させるポイントに到達する。対照的に、先行実施形態にあるように、リングに対して取り外し可能であるように装着されるモジュールは、モジュールの下筐体４が下筐体５または本体２’のベース５の内側に入るまで、下に移動し続ける。図１１に示される最終位置において、並進は、底部筐体４が本体またはベース５の底部筐体５上に完璧に配置されたときに終了した。ガスケットは、完璧にその封止機能を実施する。
【００３１】
この第２の実施形態において、モジュールがベースから取り外されることが必要であるとき、保護リングは、封止が保護される位置には戻らず、代わりに、ガスケットが、可視的なまま、または、露出されたままとなることに留意されたい。他方で、図１〜８の実施形態において、モジュールが本体から取り外されるように隆起するとき、保護リングは、下方並進の間のそれらの動作に対して、フック１３およびピンの逆動作によって、外側からガスケットを保護するためにその位置に戻る。
【図１】
0006258485.tif 000002
【図２】
0006258485.tif 000003
【図３】
0006258485.tif 000004
【図４】
0006258485.tif 000005
【図４ａ】
0006258485.tif 000006
【図４ｂ】
0006258485.tif 000007
【図５】
0006258485.tif 000008
【図５ａ】
0006258485.tif 000009
【図５ｂ】
0006258485.tif 000010
【図６】
0006258485.tif 000011
【図６ａ】
0006258485.tif 000012
【図６ｂ】
0006258485.tif 000013
【図７】
0006258485.tif 000014
【図７ａ】
0006258485.tif 000015
【図７ｂ】
0006258485.tif 000016
【図８】
0006258485.tif 000017
【図８ａ】
0006258485.tif 000018
【図８ｂ】
0006258485.tif 000019
【図９】
0006258485.tif 000020
【図１０】
0006258485.tif 000021
【図１１】
0006258485.tif 000022